(57)【要約】【課題】閉塞部材の着脱作業を容易に行うことができる家具を提供する。【解決手段】テーブルは、床面Ｆ上に起立して天板を支持し、内部に配線を収容する配線空間Ｓが形成された脚柱２１を備えている。脚柱２１は、配線空間Ｓの開口部が形成された脚本体２００と、床面Ｆに対向するように、開口部を開閉可能に閉塞する閉塞部材２０８と、閉塞部材２０８の脚本体２００に対する上方から下方への変位により、閉塞部材２０８を脚本体２００に対して係脱可能に係合させる第１係合部（上部連結部材２０１ｓの上端縁２０１ｕおよび係止部材２０９）と、第１係合部よりも下方に設けられ、脚本体２００と閉塞部材２０８とが接近離間する方向の係合力により、閉塞部材２０８を脚本体２００に対して係脱可能に係合させる第２係合部（下部連結部材２０１ｔおよび閉塞部材２０８の下部連結部材対向部２０８ａ）と、を備える。【選択図】図８
2017086428.tif 000002
【特許請求の範囲】
【請求項１】
設置面上に起立して上部構造体を支持し、内部に配線を収容する配線空間が形成された脚柱を備え、
前記脚柱は、
前記配線空間の開口部が形成された脚本体と、
前記設置面に対向するように、前記開口部を開閉可能に閉塞する閉塞部材と、
前記閉塞部材の前記脚本体に対する上方から下方への変位により、閉塞部材を脚本体に対して係脱可能に係合させる第１係合部と、
前記第１係合部よりも上方または下方に設けられ、前記脚本体と前記閉塞部材とが接近離間する方向の係合力により、前記閉塞部材を前記脚本体に対して係脱可能に係合させる第２係合部と、
を備える、家具。
【請求項２】
前記脚柱における、少なくとも前記第１係合部が設けられた部位は、鉛直方向に対して傾斜している、請求項１に記載の家具。
【請求項３】
前記脚柱は、鉛直方向に対して傾斜して前記設置面に起立している、請求項２に記載の家具。
【請求項４】
前記第２係合部は、前記第１係合部よりも下方に設けられている、請求項１から３のいずれか１項に記載の家具。
【請求項５】
前記脚本体は、前記開口部の鉛直方向に交差する幅方向に沿って延在するとともに、前記幅方向の両端部において前記配線空間を画成する側壁に接続した連結部材を備え、
前記第１係合部は、
前記連結部材の上端縁と、
前記閉塞部材に設けられ、前記連結部材の前記上端縁に当接する係止部材と、
を有する、請求項１から４のいずれか１項に記載の家具。
【請求項６】
前記閉塞部材は、前記開口部の内側に配置される、請求項１から５のいずれか１項に記載の家具。
【発明の詳細な説明】
【技術分野】
【０００１】
本発明は、家具に関するものである。
【背景技術】
【０００２】
従来、家具として、脚柱と、脚柱に支持された天板（上部構造体）と、を有し、脚柱の内部に配線を収容する構成を備えたテーブルが知られている。
例えば、下記特許文献１に記載のテーブルは、天板を下方から支持するとともに、内部に配線の収容空間（配線空間）を有する管状の脚柱を備え、脚柱の周面に形成された開口が着脱自在なカバー体により閉塞可能とされている。また、下記特許文献２には、支持脚を覆うカバー取付け材を備え、カバー取付け材にカバー部材を取り付けることによって、カバー部材内部に配線スペース（配線空間）を形成したテーブルが開示されている。
【０００３】
上記従来の家具では、配線を脚柱内に容易に配設するために、配線空間を所定の方向に開放するとともに、配線空間を閉塞する閉塞部材としてカバー体やカバー部材を備えている。このような閉塞部材は、配線の配設作業を行う際に取り外す必要があるので、配線の荷重を受け止める強度を有しつつ、作業者が手で着脱できる程度の堅牢さで脚柱に取り付けられていることが望ましい。
【先行技術文献】
【特許文献】
【０００４】
【特許文献１】特開２００１−１２８７４７号公報
【特許文献２】特許第４３１３１５６号公報
【発明の概要】
【発明が解決しようとする課題】
【０００５】
ところで、近年では、デザイン性の向上や、天板の外周縁近傍まで支持力を付与しつつ天板の下方の下肢空間を拡げるために、脚柱を鉛直方向に対して傾斜させた状態で起立させた家具が提案されている。このような家具においても、脚柱の内部に配線空間を設けることが望ましいが、脚柱が傾斜していることにより、配線空間を閉塞する閉塞部材も傾斜された状態で取り付けられる。このため、閉塞部材を安定させた状態で着脱させることが困難となり、閉塞部材の着脱作業が煩雑になる場合がある。
【０００６】
そこで本発明は、閉塞部材の着脱作業を容易に行うことができる家具を提供するものである。
【課題を解決するための手段】
【０００７】
本発明の家具は、設置面上に起立して上部構造体を支持し、内部に配線を収容する配線空間が形成された脚柱を備え、前記脚柱は、前記配線空間の開口部が形成された脚本体と、前記設置面に対向するように、前記開口部を開閉可能に閉塞する閉塞部材と、前記閉塞部材の前記脚本体に対する上方から下方への変位により、閉塞部材を脚本体に対して係脱可能に係合させる第１係合部と、前記第１係合部よりも上方または下方に設けられ、前記脚本体と前記閉塞部材とが接近離間する方向の係合力により、前記閉塞部材を前記脚本体に対して係脱可能に係合させる第２係合部と、を備える。
【０００８】
本発明によれば、第１係合部において閉塞部材が脚本体に対する上方から下方への変位により係合しているので、閉塞部材を脚本体から取り外す際に、閉塞部材を上方に移動させることにより第１係合部における脚本体と閉塞部材との係合を解除することができる。閉塞部材は、設置面に対向するように開口部を閉塞しているので、第１係合部の係合を解除すると、重力により脚本体から離間するように変位する。ここで、閉塞部材は、第１係合部よりも上方または下方に設けられた第２係合部において、脚本体と閉塞部材とが接近離間する方向の係合力により脚本体に対して係合している。このため、第１係合部の係合が解除されると、閉塞部材は、第２係合部における係合を維持しつつ、閉塞部材における第２係合部に対する第１係合部側の一端部が第２係合部近傍を支点としてぶら下がる、または倒れ込むように変位する。これにより、閉塞部材を第２係合部において脚本体に対して係合させた状態で、閉塞部材の一端部を脚本体から離間させることができるので、閉塞部材の一端部を掴む等して閉塞部材を安定させた状態で、第２係合部の係合を解除する作業を行うことができる。したがって、内部に配線空間が形成された脚柱が鉛直方向に対して傾斜して設けられる等して、閉塞部材が設置面に対向するように取り付けられた家具において、閉塞部材の着脱作業を容易に行うことができる。
【０００９】
上記の家具において、前記脚柱における、少なくとも前記第１係合部が設けられた部位は、鉛直方向に対して傾斜していてもよい。
【００１０】
本発明によれば、脚柱における第１係合部が設けられた部位が鉛直方向に対して傾斜することにより、開口部が設置面に向かって開口し、閉塞部材が設置面に対向するように開口部を閉塞している場合に、上記した作用効果を奏功することができる。
【００１１】
上記の家具において、前記脚柱は、鉛直方向に対して傾斜して前記設置面に起立していてもよい。
【００１２】
本発明によれば、脚柱が鉛直方向に対して傾斜して設置面に起立していることにより開口部が設置面に向かって開口し、閉塞部材が設置面に対向するように開口部を閉塞している場合に、上記した作用効果を奏功することができる。
【００１３】
上記の家具において、前記第２係合部は、前記第１係合部よりも下方に設けられていてもよい。
【００１４】
本発明によれば、閉塞部材を脚本体から取り外す際に、第１係合部の係合を解除して閉塞部材を重力により脚本体から離間するように変位させたときに、閉塞部材は、第２係合部における係合を維持しつつ、上端部が倒れ込むように変位する。このため、閉塞部材の着脱を行う作業者は、閉塞部材の下端部がぶら下がるように変位する構成と比較して、より上方に位置する上端部を掴むことができるので、作業性を向上させることができる。したがって、閉塞部材の着脱作業を容易に行うことができる。
【００１５】
上記の家具において、前記脚本体は、前記開口部の鉛直方向に交差する幅方向に沿って延在するとともに、前記幅方向の両端部において前記配線空間を画成する側壁に接続した連結部材を備え、前記第１係合部は、前記連結部材の上端縁と、前記閉塞部材に設けられ、前記連結部材の前記上端縁に当接する係止部材と、を有してもよい。
【００１６】
本発明によれば、閉塞部材は、開口部の鉛直方向に交差する幅方向に沿って延在する連結部材の上端縁と、その上端縁に当接する係止部材と、により脚本体に係合するので、閉塞部材が脚本体に対して幅方向に位置ずれした場合であっても、閉塞部材と連結部材との係合が解除されることを防止できる。したがって、精密な位置調整を行うことなく閉塞部材を脚本体に装着することが可能となるので、閉塞部材の着脱作業を容易に行うことができる。
また、連結部材は、両端部において配線空間を画成する側壁に接続しているので、脚本体の強度を向上させることができる。
【００１７】
上記の家具において、前記閉塞部材は、前記開口部の内側に配置されてもよい。
【００１８】
本発明によれば、閉塞部材が開口部の外側に配置される構成と比較して、閉塞部材が妄りに取り外されることを抑制できる。
【発明の効果】
【００１９】
本発明によれば、内部に配線空間が形成された脚柱が鉛直方向に対して傾斜して設けられる等して、配線空間の開口部が設置面を向かって開口した家具において、閉塞部材の着脱作業を容易に行うことができる。
【図面の簡単な説明】
【００２０】
【図１】実施形態に係るテーブルの斜視図である。
【図２】実施形態に係るテーブルの斜視図である。
【図３】実施形態に係るテーブルを天板の短手方向から見た正面図である。
【図４】実施形態に係る脚を天板の長手方向における外側から見た側面図である。
【図５】実施形態に係る脚の平面図である。
【図６】実施形態に係る脚を天板の長手方向における内側から見た斜視図である。
【図７】実施形態に係る脚を天板の長手方向における内側から見た分解斜視図である。
【図８】図４のＶＩＩＩ−ＶＩＩＩ線における断面図である。
【図９】実施形態に係る係止部材を天板の短手方向から見た正面図である。
【図１０】実施形態に係る係止部材を天板の長手方向における内側から見た側面図である。
【図１１】実施形態に係るテーブルの作用の説明図であって、図４のＶＩＩＩ−ＶＩＩＩ線に相当する部分における断面図である。
【図１２】実施形態に係るテーブルの作用の説明図であって、図４のＶＩＩＩ−ＶＩＩＩ線に相当する部分における断面図である。
【発明を実施するための形態】
【００２１】
以下、本発明の実施形態を図面に基づいて説明する。
図１および図２は、実施形態に係るテーブルの斜視図である。図３は、実施形態に係るテーブルを天板の短手方向から見た正面図である。なお、図２では、天板を鎖線で示している。
図１から図３に示すように、テーブル（家具）１０は、一対の脚２０と、一対の脚２０に支持された天板（上部構造体）３０と、を備えている。テーブル１０は、水平な床面（設置面）Ｆ上に設置されている。
【００２２】
天板３０は、平面視長方形状に形成されている。天板３０の上面は、床面Ｆと略平行となるように設けられている。以下、鉛直方向に直交する方向のうち、天板３０の短辺に沿う方向を短手方向Ｘといい、天板３０の長辺に沿う方向を長手方向Ｙという。
【００２３】
天板３０は、パネル状の芯材と、芯材をその上下から覆う表皮材と、により構成されている。芯材は、例えばアルミニウム等によりハニカム構造に形成されている。表皮材は、樹脂系材料や、木質材料等からなり、芯材の上下の表面にそれぞれ接着されている。
【００２４】
図２に示すように、脚２０は、天板３０において長手方向Ｙの一端側と他端側とに、それぞれ設けられている。各脚２０は、短手方向Ｘの両端部にそれぞれ設けられて床面Ｆ上に起立した一対の脚柱２１と、一対の脚柱２１の上部同士を連結する上部連結体２２と、一対の脚柱２１の下部同士を連結する下部連結体２３と、を備えている。
【００２５】
図３に示すように、各脚柱２１は、短手方向Ｘから見たとき長手方向Ｙに沿った幅寸法が、下方から上方に向けて漸次増大するよう形成されている。
各脚柱２１は、短手方向Ｘから見たとき、上端に対して下端が、テーブル１０の、長手方向Ｙにおける外側（以下、単に「長手方向外側」という。）に位置するように、鉛直方向に対して傾斜して床面Ｆに起立している。これにより、一対の脚２０は、脚２０同士の間隔が上方から下方に向かって漸次拡大し、八の字状に配置されている。
【００２６】
図４は、実施形態に係る脚を長手方向外側から見た側面図である。
図２および図４に示すように、各脚柱２１の、短手方向Ｘにおける内側（以下、単に「短手方向内側」という。）に位置する内側面２１ｐは、床面Ｆに対して直交する鉛直面とされている。脚柱２１の、短手方向Ｘにおける外側（以下、単に「短手方向外側」という。）に位置する外側面２１ｑは、脚柱２１の上端から下端に向かって、内側面２１ｐから短手方向Ｘに漸次離間する傾斜面とされている。これにより、脚２０は、長手方向Ｙから見たときの幅寸法が、上方から下方に向けて漸次増大するよう形成されている。
【００２７】
図５は、実施形態に係る脚の平面図である。図６は、実施形態に係る脚を天板の長手方向における内側から見た斜視図である。図７は、実施形態に係る脚を天板の長手方向における内側から見た分解斜視図である。
図５から図７に示すように、脚柱２１は、脚本体２００と、閉塞部材２０８と、を備えている。
【００２８】
脚本体２００は、脚部材２０１と、脚部材２０１の外表面を覆うカバープレート２１０と、を備えている。
図５に示すように、脚部材２０１は、アルミニウムや鉄等の金属材料により形成されている。脚部材２０１は、脚柱２１の内側面２１ｐに沿う内側プレート部２０１ｐと、脚柱２１の外側面２１ｑに沿う外側プレート部２０１ｑと、内側プレート部２０１ｐと外側プレート部２０１ｑとを長手方向外側で連結する連結プレート部２０１ｒと、を備え、平断面視コ字状に形成されている。図７に示すように、内側プレート部２０１ｐの下端縁には、上方に向けて切り欠かれた切欠部２０１ｄが形成されている。
【００２９】
脚部材２０１には、内側プレート部２０１ｐと外側プレート部２０１ｑとを連結する上部連結部材（連結部材）２０１ｓ、下部連結部材（第２係合部）２０１ｔおよび底部連結部材２０１ｂが設けられている。
上部連結部材２０１ｓは、平板状に形成されている。上部連結部材２０１ｓは、内側プレート部２０１ｐの、長手方向Ｙにおける内側（以下、単に「長手方向内側」という。）の端縁と、外側プレート部２０１ｑの、長手方向内側の端縁と、を連結している。上部連結部材２０１ｓの上端縁（第１係合部）２０１ｕおよび下端縁は、短手方向Ｘに沿う直線状に形成されている。上部連結部材２０１ｓの上端縁２０１ｕは、内側プレート部２０１ｐおよび外側プレート部２０１ｑの上端縁よりも下方に位置するように設けられている。
【００３０】
下部連結部材２０１ｔは、鉄等の磁性体材料により平板状に形成されている。下部連結部材２０１ｔは、上部連結部材２０１ｓよりも下方において、内側プレート部２０１ｐの、長手方向内側の端縁と、外側プレート部２０１ｑの、長手方向内側の端縁と、を連結している。下部連結部材２０１ｔは、閉塞部材２０８の重心位置よりも下方に配置されていることが望ましい。下部連結部材２０１ｔの上端縁および下端縁は、短手方向Ｘに沿う直線状に形成されている。下部連結部材２０１ｔの下端縁は、内側プレート部２０１ｐおよび外側プレート部２０１ｑの下端縁よりも上方に位置するように設けられている。
【００３１】
底部連結部材２０１ｂは、下部連結部材２０１ｔよりも下方に設けられている。底部連結部材２０１ｂは、短手方向Ｘから見てＬ字状に屈曲した板状に形成され、水平方向に沿う底板部と、底板部の、長手方向内側の端縁から上方に向けて延出した側板部と、を備えている。底部連結部材２０１ｂの、短手方向内側の端部には、上下方向に貫通する貫通孔２０１ｃが形成されている。また、底部連結部材２０１ｂの底板部の、短手方向Ｘにおける中央部には、脚本体２００の高さ調整、レベル調整を行うためのアジャスタボルト２０５がねじ込まれている。
【００３２】
脚部材２０１の内側プレート部２０１ｐの上部には、上部連結体２２の後述する上部連結体本体２０２が挿入される貫通孔２０１ｈが形成されている。また、内側プレート部２０１ｐの下部には、下部連結体２３の後述する下部連結体本体２０３が挿入される貫通孔２０１ｊが形成されている。
【００３３】
図５に示すように、カバープレート２１０は、内側プレート部２０１ｐの外面全体を覆う第１プレート２１０ｐと、外側プレート部２０１ｑの外面全体を覆う第２プレート２１０ｑと、連結プレート部２０１ｒの外面全体を覆う第３プレート２１０ｒと、を備えている。
図７に示すように、第１プレート２１０ｐの、長手方向内側の端縁は、内側プレート部２０１ｐの、長手方向内側の端縁よりも、全長に亘って長手方向内側に位置するように設けられている。第１プレート２１０ｐの、長手方向内側の端縁は、上端に対して下端が長手方向外側に位置するように、鉛直方向に対して傾斜して設けられている。第１プレート２１０ｐの下端縁には、内側プレート部２０１ｐの切欠部２０１ｄに対応する、上方に向けて切り欠かれた切欠部２１０ｄが形成されている。
【００３４】
第２プレート２１０ｑの、長手方向内側の端縁は、外側プレート部２０１ｑの、長手方向内側の端縁よりも、全長に亘って長手方向内側に位置するように設けられている。第２プレート２１０ｑの、長手方向内側の端縁は、上端に対して下端が長手方向外側に位置するように、鉛直方向に対して傾斜して設けられている。
【００３５】
図５に示すように、第３プレート２１０ｒの、短手方向内側の端縁は、連結プレート部２０１ｒの、短手方向内側の端縁よりも、全長に亘って短手方向内側に位置するように設けられている。また、第３プレート２１０ｒの、短手方向外側の端縁は、連結プレート部２０１ｒの、短手方向外側の端縁よりも、全長に亘って短手方向外側に位置するように設けられている。第３プレート２１０ｒは、第１プレート２１０ｐおよび第２プレート２１０ｑの、長手方向外側の端面を長手方向外側から覆っている。
【００３６】
各プレート２１０ｐ〜２１０ｒは、脚部材２０１側（内側）が樹脂製、その外側が木製で構成されている。これにより、カバープレート２１０は、木目調の外観を呈しつつ、内側部分で強度を確保することができる。各プレート２１０ｐ〜２１０ｒは、脚部材２０１に対して、例えば両面テープ等により取り付けられている。
【００３７】
図７に示すように、内側プレート部２０１ｐ、第１プレート２１０ｐの、長手方向内側の端部、外側プレート部２０１ｑ、第２プレート２１０ｑの、長手方向内側の端部、および連結プレート部２０１ｒにより画成された空間は、脚柱２１の延在方向に沿って延びる配線空間Ｓとなっている。配線空間Ｓには、配線１００が収容される。なお、上述した上部連結部材２０１ｓ、下部連結部材２０１ｔおよび底部連結部材２０１ｂは、短手方向Ｘの両端部において配線空間Ｓを画成する側壁（内側プレート部２０１ｐおよび外側プレート部２０１ｑ）に接続した構成となっている。
【００３８】
配線空間Ｓの、長手方向内側には、開口部２８が形成されている。開口部２８は、第１プレート２１０ｐの、長手方向内側端部と、第２プレート２１０ｑの、長手方向内側端部と、により挟まれている。開口部２８は、短手方向Ｘを幅方向とするとともに鉛直方向に対して傾斜した方向に沿って延びている。ここで、第１プレート２１０ｐの、長手方向内側の端部、および第２プレート２１０ｑの、長手方向内側の端部は、上端に対して下端が長手方向外側に位置するように、鉛直方向に対して傾斜して設けられている。このため、開口部２８は、配線空間Ｓの全長に亘って床面Ｆに向かって開口している。
【００３９】
図６に示すように、閉塞部材２０８は、開口部２８の内側に配置され、開口部２８を開閉可能に閉塞している。より具体的に、閉塞部材２０８は、開口部２８の形状に対応した台形状に形成され、第１プレート２１０ｐの、長手方向内側の端部と、第２プレート２１０ｑの、長手方向内側の端部と、の間に配置されている。閉塞部材２０８は、上端に対して下端が長手方向外側に位置している。閉塞部材２０８は、床面Ｆに対向するように、鉛直方向に対して傾斜して設けられている。閉塞部材２０８は、内側（配線空間Ｓ側）が樹脂製、その外側が木製で構成されている。
【００４０】
図８は、図４のＶＩＩＩ−ＶＩＩＩ線における断面図である。
図８に示すように、閉塞部材２０８は、上部連結部材２０１ｓおよび下部連結部材２０１ｔの、長手方向外側の面に対向し、接触または近接するように配置されている。閉塞部材２０８のうち、下部連結部材２０１ｔに対向する部分（下部連結部材対向部（第２係合部）２０８ａ）には、図示しない磁石が取り付けられている。下部連結部材対向部２０８ａは、閉塞部材２０８を脚本体２００に対して磁着により係脱可能に係合させている。下部連結部材２０１ｔと下部連結部材対向部２０８ａとの間に作用する磁力は、脚本体２００と閉塞部材２０８とが接近離間する方向の係合力となっている。閉塞部材２０８の上端部における内側面には、係止部材（第１係合部）２０９が設けられている。
【００４１】
図９は、実施形態に係る係止部材を短手方向から見た正面図である。図１０は、実施形態に係る係止部材を長手方向内側から見た側面図である。
図９および図１０に示すように、係止部材２０９は、矩形板状の基部２０９ａと、基部２０９ａの、長手方向Ｙにおける両端縁から短手方向外側に向かって立設した一対の側部２０９ｂと、を備え、平断面視コ字状に形成されている。基部２０９ａには、一対の挿通孔２０９ｃが形成されている。基部２０９ａは、挿通孔２０９ｃに挿通されたボルト等の締結部材により、閉塞部材２０８に対して固定されている（図４参照）。各側部２０９ｂは、短手方向Ｘから見て、上端縁および下端縁が長手方向Ｙに沿うように延びる平行四辺形状に形成されている。各側部２０９ｂの下端縁における長手方向外側の端部には、下方に向けて突出する突起部２０９ｄが形成されている。
【００４２】
図８および図９に示すように、係止部材２０９は、上部連結部材２０１ｓの上端縁２０１ｕに対して、上方から当接している。また、係止部材２０９の突起部２０９ｄは、上部連結部材２０１ｓの上端縁２０１ｕよりも長手方向外側（すなわち配線空間Ｓの内部側）に位置している。これにより、突起部２０９ｄは、上部連結部材２０１ｓの上端縁に長手方向外側から当接することで、係止部材２０９の、長手方向内側への変位を規制している。係止部材２０９は、閉塞部材２０８の脚本体２００に対する上方から下方への変位により、閉塞部材２０８を脚本体２００に対して係脱可能に係合させている。
【００４３】
図４および図５に示すように、上部連結体２２は、その上端が脚柱２１の上端よりも下方に位置するよう設けられている。上部連結体２２は、上部連結体本体２０２と、上部連結体本体２０２の外表面を覆う上部連結体カバープレート２１４と、を備えている。上部連結体本体２０２は、アルミニウムや鉄等の金属材料により形成されている。図８に示すように、上部連結体本体２０２は、短手方向Ｘから見て上方に向けて開口するコ字状に形成され、短手方向Ｘに沿って延在している。
上部連結体本体２０２の両端部は、それぞれ、脚本体２００の脚部材２０１の内側プレート部２０１ｐに形成された貫通孔２０１ｈに挿入され、溶接等により接合されている。
【００４４】
図５に示すように、上部連結体カバープレート２１４は、上部連結体本体２０２の底壁部および長手方向外側の側壁部の外面を覆う第１カバー部２１４ａと、上部連結体本体２０２の、長手方向内側の側壁部の外面を覆う第２カバー部２１４ｂと、を備えている。各上部連結体カバープレート２１４は、上部連結体本体２０２側（内側）が樹脂製、その外側が木製で構成されている。上部連結体カバープレート２１４は、上部連結体本体２０２に対して、例えば両面テープ等により取り付けられている。
【００４５】
図４および図５に示すように、上部連結体２２の上端部には、固定ブラケット２４が固定されている。固定ブラケット２４は、図示しないボルト等の締結部材により上部連結体２２の上部連結体本体２０２の上端部に固定されたベース部２５と、ベース部２５において短手方向Ｘの両端部からそれぞれ上方に延びる一対の固定壁２６と、が一体に形成されている。各固定壁２６は、短手方向Ｘに直交するように設けられ、それぞれ脚柱２１に対して離間して配置されている。上部連結体本体２０２と、ベース部２５と、の間には、配線等が収容できる空間が形成されている。ベース部２５には、上下に貫通する開口２０６が形成されている。
【００４６】
図７に示すように、下部連結体２３は、その下端が脚柱２１の下端よりも上方に位置するよう設けられている。下部連結体２３は、下部連結体本体２０３と、下部連結体本体２０３の外表面を覆う下部連結体カバープレート２１５と、を備えている。下部連結体本体２０３は、アルミニウムや鉄等の金属材料により形成されている。図８に示すように、下部連結体本体２０３は、短手方向Ｘから見て、長手方向外側に向けて開口するコ字状に形成され、短手方向Ｘに沿って延在している。
下部連結体本体２０３の両端部は、それぞれ、脚部材２０１の内側プレート部２０１ｐに形成された貫通孔２０１ｊに挿入され、溶接等により接合されている。
【００４７】
図５に示すように、下部連結体カバープレート２１５は、下部連結体本体２０３を長手方向外側から覆う第１カバー部２１５ａと、下部連結体本体２０３を長手方向内側から覆う第２カバー部２１５ｂと、を備えている。各下部連結体カバープレート２１５は、下部連結体本体２０３側（内側）が樹脂製、その外側が木製で構成されている。下部連結体カバープレート２１５は、下部連結体本体２０３に対して、例えば両面テープ等により取り付けられている。
【００４８】
図２および図３に示すように、天板３０は、脚２０の上端に対して短手方向外側および長手方向外側に、それぞれオーバーハングして設けられている。また、天板３０は、脚柱２１の上端に対して鉛直方向に所定間隔をあけて配置されている。天板３０は、脚２０に対し、以下のような構成により連結されている。
【００４９】
天板３０の下面には、天板３０の長手方向Ｙに沿って延びるビーム４０が設けられている。ビーム４０は、天板３０の短手方向Ｘに所定間隔を空けて二本一対で設けられている。一対のビーム４０間には、長手方向Ｙに沿って間隔を空けて複数の連結ビーム４８が設けられている。各連結ビーム４８は、短手方向Ｘに沿って延び、その両端部が連結金具４９を介して各ビーム４０に連結されている。これにより、一対のビーム４０と複数の連結ビーム４８とが、平面視梯子状に連結されている。
各ビーム４０は、それぞれ固定ブラケット２４の固定壁２６（図４参照）に対して、図示しないボルト等の締結部材により、長手方向Ｙにスライド可能に固定されている。
【００５０】
以下、本実施形態のテーブル１０の作用について説明する。
最初に、床面Ｆから立ち上がった配線１００の配設について説明する。
図２に示すように、床面Ｆから立ち上がった配線１００は、第１プレート２１０ｐに形成された切欠部２１０ｄ、および内側プレート部２０１ｐに形成された切欠部２０１ｄを通じて、脚柱２１の内部の配線空間Ｓに導入される。さらに、配線１００は、配線空間Ｓを経て、内側プレート部２０１ｐに形成された貫通孔２０１ｈから上部連結体本体２０２の内側へ導出される。さらに、配線１００は、上部連結体本体２０２上の固定ブラケット２４の開口２０６を通して、脚本体２００の上方に導出される。このように、床面Ｆから立ち上がった配線１００を、外部への露出を最小限にして、脚２０の上部まで導くことができる。
【００５１】
次に、配線１００を配設する配設作業時等における閉塞部材２０８の着脱について説明する。
図１１および図１２は、実施形態に係るテーブルの作用の説明図であって、図４のＶＩＩＩ−ＶＩＩＩ線に相当する部分における断面図である。
図８に示すように、閉塞部材２０８が開口部２８を閉塞している状態では、閉塞部材２０８に作用する重力により、係止部材２０９が脚本体２００の上部連結部材２０１ｓに対して上方から当接し、閉塞部材２０８を脚本体２００に対して緊密に係合させている。閉塞部材２０８を脚本体２００から取り外す際には、まず図１１に示すように、閉塞部材２０８を上方に移動させることにより上部連結部材２０１ｓの上端縁２０１ｕおよび係止部材２０９（以下、「第１係合部」という。）における脚本体２００と閉塞部材２０８との係合を解除する。閉塞部材２０８は、床面Ｆに対向するように開口部２８を閉塞しているため、第１係合部の係合を解除すると、重力により脚本体２００から離間するように変位する。
【００５２】
ここで、閉塞部材２０８は、第１係合部よりも下方に設けられた下部連結部材２０１ｔおよび閉塞部材２０８の下部連結部材対向部２０８ａ（以下、「第２係合部」という。）において、磁力により脚本体２００に対して係合している。このため、第１係合部の係合が解除されると、図１２に示すように、閉塞部材２０８は、第２係合部における係合を維持しつつ、閉塞部材２０８の上部が第２係合部近傍を支点として倒れ込むように変位する。これにより、閉塞部材２０８を第２係合部において脚本体２００に対して係合させた状態で、閉塞部材２０８の上端部を脚本体２００から離間させることができる。よって、閉塞部材２０８の上部を掴む等して閉塞部材２０８を安定させた状態で、第２係合部の係合を解除する作業を行うことができる。
【００５３】
閉塞部材２０８を脚本体２００に装着する際は、上述した取り外し作業を逆の手順で行うことで容易に実現できる。
以上により、内部に配線空間Ｓが形成された脚柱２１が鉛直方向に対して傾斜して床面Ｆに起立し、閉塞部材２０８が床面Ｆに対向するように取り付けられたテーブル１０において、閉塞部材２０８の着脱作業を容易に行うことができる。
【００５４】
また、閉塞部材２０８の係止部材２０９は、開口部２８の幅方向（短手方向Ｘ）に沿って延在する上部連結部材２０１ｓの上端縁２０１ｕと、その上端縁２０１ｕに当接する係止部材２０９と、により脚本体２００に係合する。このため、仮に閉塞部材２０８が脚本体２００に対して開口部２８の幅方向に位置ずれした場合であっても、閉塞部材２０８と上部連結部材２０１ｓとの係合が解除されることを防止できる。したがって、精密な位置調整を行うことなく閉塞部材２０８を脚本体２００に装着することが可能となるので、閉塞部材２０８の着脱作業を容易に行うことができる。
しかも、上部連結部材２０１ｓは、両端部において配線空間Ｓを画成する側壁（内側プレート部２０１ｐおよび外側プレート部２０１ｑ）に接続するので、脚本体２００（脚部材２０１）の強度を向上させることができる。
【００５５】
また、閉塞部材２０８が開口部２８の内側に配置されているので、閉塞部材が開口部の外側に配置される構成と比較して、閉塞部材２０８が妄りに取り外されることを抑制できる。
【００５６】
なお、本発明は、図面を参照して説明した上述の実施形態に限定されるものではなく、その技術的範囲において様々な変形例が考えられる。
例えば、上記実施形態においては、脚本体２００と閉塞部材２０８とが第２係合部において閉塞部材２０８の下部連結部材対向部２０８ａに取り付けられた磁石による磁着により係合しているが、これに限定されない。例えば、磁石が脚本体２００の下部連結部材２０１ｔに取り付けられ、閉塞部材２０８が鉄等の磁性体材料により形成され、脚本体２００と閉塞部材２０８とが磁着する構成であってもよい。また、下部連結部材２０１ｔまたは下部連結部材対向部２０８ａが磁化された構成であってもよい。
【００５７】
また、上記実施形態においては、脚本体２００と閉塞部材２０８とが第２係合部において磁着により係合しているが、これに限定されるものではない。例えば第１係合部の係止部材２０９と同様に、閉塞部材２０８に下部連結部材２０１ｔの上端縁に上方から当接する係止部材が設けられる構成であってもよい。
【００５８】
また、上記実施形態においては、第２係合部が第１係合部よりも下方に設けられているが、これに限定されず、第２係合部が第１係合部よりも上方に設けられていてもよい。この構成によれば、閉塞部材を脚本体から取り外す際に、第１係合部の係合を解除して閉塞部材を重力により脚本体から離間するように変位させたときに、閉塞部材は、第２係合部における係合を維持しつつ、下端部が第２係合部近傍を支点としてぶら下がるように変位する。これにより、閉塞部材の下端部を掴む等して閉塞部材を安定させた状態で、第２係合部の係合を解除する作業を行うことができる。ただし、閉塞部材の着脱を行う際に、上方に位置する閉塞部材の上端部を掴むことができて作業性が向上するという点で、第２係合部は、第１係合部よりも下方に設けられていることが望ましい。
【００５９】
また、上記実施形態においては、脚柱２１は、鉛直方向に対して傾斜して床面Ｆに起立しているが、これに限定されない。脚柱２１は、少なくとも第１係合部が設けられた部位が鉛直方向に対して傾斜することで、開口部２８が床面Ｆに向かって開口し、閉塞部材２０８が床面Ｆに対向するように開口部２８を閉塞している場合に、上記した作用効果を奏功することができる。
【００６０】
また、上記実施形態においては、カバープレート２１０の各プレート２１０ｐ〜２１０ｒは、それぞれ別体で形成されているが、これに限定されず、一体に形成されていてもよい。
また、上記実施形態においては、天板３０は平面視長方形状に形成されているが、これに限定されず、例えば平面視で長円形状や楕円形状に形成されてもよい。
【００６１】
その他、本発明の趣旨を逸脱しない範囲で、上記した実施の形態における構成要素を周知の構成要素に置き換えることは適宜可能である。
【符号の説明】
【００６２】
１０…テーブル（家具）  ２１…脚柱  ２８…開口部  ３０…天板（上部構造体）  １００…配線  ２００…脚本体  ２０１ｓ…上部連結部材（連結部材）  ２０１ｔ…下部連結部材（第２係合部）  ２０１ｕ…上部連結部材の上端縁（第１係合部）  ２０８…閉塞部材  ２０８ａ…下部連結部材対向部（第２係合部）  ２０９…係止部材（第１係合部）  Ｆ…床面（設置面）  Ｓ…配線空間
【図１】
2017086428.tif 000003
【図２】
2017086428.tif 000004
【図３】
2017086428.tif 000005
【図４】
2017086428.tif 000006
【図５】
2017086428.tif 000007
【図６】
2017086428.tif 000008
【図７】
2017086428.tif 000009
【図８】
2017086428.tif 000010
【図９】
2017086428.tif 000011
【図１０】
2017086428.tif 000012
【図１１】
2017086428.tif 000013
【図１２】
2017086428.tif 000014